(57)【要約】【課題】安価な装置構成で、印鑑の印面を直接撮影して鮮明な印影データを得ることを可能とした印鑑ダイレクトリーダを提供することである。【解決手段】提案する印鑑ダイレクトリーダは、印鑑を支持する支持部と、支持された印鑑の印面を囲むようにして配置され、複数の方向から前記印鑑の印面に光を照射する複数の発光部と、前記印鑑の印面を撮影する撮像部と、前記複数の発光部のうちの一部を前記印鑑に対し一方向に照射させて前記印鑑の印面を前記撮像部に撮影させ、前記発光部の照射方向を変えて前記印鑑の印面を前記撮像部に撮影させ、複数の画像データを得る撮像制御部と、前記撮像制御部による複数回の撮影により得られた複数枚の画像データを合成して印影データを作成する画像データ合成部と、を有する。【選択図】図３
2011138371.tif 000002
【特許請求の範囲】
【請求項１】
印鑑を支持する支持部と、
支持された印鑑の印面を囲むようにして配置され、複数の方向から前記印鑑の印面に光を照射する複数の発光部と、
前記印鑑の印面を撮影する撮像部と、
前記複数の発光部のうちの一部を前記印鑑に対し一方向に照射させて前記印鑑の印面を前記撮像部に撮影させ、前記発光部の照射方向を変えて前記印鑑の印面を前記撮像部に撮影させ、複数の画像データを得る撮像制御部と、
前記撮像制御部による複数回の撮影により得られた複数枚の画像データを合成して印影データを作成する画像データ合成部と、を有することを特徴とする印鑑ダイレクトリーダ。
【請求項２】
前記複数の発光部は、前記印鑑の印面の周囲線より外側で、前記撮像部側に近い位置に配置され、前記印面側に光を照射することを特徴とする請求項１記載の印鑑ダイレクトリーダ。
【請求項３】
前記撮像制御部による１回の撮影では、印面上に刻印された文字と文字ではない窪み部分との境界を示す稜線のうちの、発光させる発光部の反対側にある稜線を含む影が鮮明に現れた画像データが読み込まれ、
前記画像データ合成部により、複数枚の画像データを合成する場合、発光させる各発光部の反対側にある、それぞれの稜線を含む影が重ね合わされて、合成結果の印影データでは、その重ね合わせ画像内のそれぞれの影によって囲まれた領域として印影が鮮明に現れることを特徴とする請求項１記載の印鑑ダイレクトリーダ。
【請求項４】
支持部により支持された印鑑の印面を囲むようにして配置され、複数の方向から前記印鑑の印面に光を照射する複数の発光部と、前記印鑑の印面を撮影する撮像部と、を有する装置が実行する印影データ作成方法において、
前記複数の発光部のうちの一部を前記印鑑に対し一方向に照射させて前記印鑑の印面を前記撮像部に撮影させ、前記発光部の照射方向を変えて前記印鑑の印面を前記撮像部に撮影させ、複数の画像データを得る撮像制御ステップと、
前記撮像制御ステップにおいて複数回の撮影により得られた複数枚の画像データを合成して印影データを作成するステップと、を有することを特徴とする印影データ作成方法。
【請求項５】
前記複数の発光部は、前記印鑑の印面の周囲線より外側で、前記撮像部側に近い位置に配置され、前記印面側に光を照射することを特徴とする請求項４記載の印影データ作成方法。
【請求項６】
前記撮像制御ステップにおける１回の撮影では、印面上に刻印された文字と文字ではない窪み部分との境界を示す稜線のうちの、発光させる発光部の反対側にある稜線を含む影が鮮明に現れた画像データが読み込まれ、
前記画像データを合成するステップにおいて、複数枚の画像データを合成する場合、発光させる各発光部の反対側にある、それぞれの稜線を含む影が重ね合わされて、合成結果の印影データでは、その重ね合わせ画像内のそれぞれの影によって囲まれた領域として印影が鮮明に現れることを特徴とする請求項４記載の印影データ作成方法。
【発明の詳細な説明】
【技術分野】
【０００１】
本発明は、印鑑の印面を直接撮像して印影データを得る技術に関する。
【背景技術】
【０００２】
現状では、金融機関で出金や振込みを行なう際には、紙の伝票に名前や金額を記入した後、本人確認手段として押印をする必要がある。記入部分は電子記帳端末への入力等に置き換えて電子化することが可能だが、押印は入力内容を紙（伝票）に印刷してから行なう必要があった。
【０００３】
そこで、印鑑を伝票に押印せず、印鑑から非接触で直接印影を読み取ることにより、電子記帳端末での電子化と組み合わせ、ペーパーレスで本人確認を実現する各種技術が知られている。
【０００４】
特許文献１では、印鑑を遮光カバー内の支持部材に挿入し、押印面の凹凸をカメラで撮影する技術が示されている。
特許文献２では、印鑑をホルダに挿入し、印影読取部により、押印面を直接読み取らせるイメージ読取装置が示されている。
【０００５】
特許文献３では、ガラス板上に置かれた凹凸面を持つ対象物（例えば硬貨）を下部から撮影するカメラと、そのガラス板のやや下方に対象物を囲むように複数設けられたＬＥＤと、各ＬＥＤから対象物上に同時に照射される光をガイドするライトガイドとを有する刻印読取装置が示されている。
【０００６】
特許文献３の刻印読取装置では、鮮明な読み取り画像を得るためには、対象物の凹凸面上に影を作らないようにする必要があり、その関係から、ＬＥＤを対象物を囲むようになるべく多数設置する必要がある。そのため、装置が複雑化し、装置が安価には製造できないという問題がある。
【先行技術文献】
【特許文献】
【０００７】
【特許文献１】特開昭６０−２５６８８２号公報
【特許文献２】特開昭６１−２９０５８０号公報
【特許文献３】特開平０７−１６７７８８号公報
【発明の概要】
【発明が解決しようとする課題】
【０００８】
本発明は、以上の問題点を考慮してなされたものであり、安価な装置構成で、印鑑の印面を直接撮影して鮮明な印影データを得ることを可能とした印鑑直接読取装置（印鑑ダイレクトリーダ）および印影データ作成方法を提供することを目的とする。
【課題を解決するための手段】
【０００９】
提案する印鑑ダイレクトリーダは、印鑑を支持する支持部と、支持された印鑑の印面を囲むようにして配置され、複数の方向から前記印鑑の印面に光を照射する複数の発光部と、前記印鑑の印面を撮影する撮像部と、前記複数の発光部のうちの一部を前記印鑑に対し一方向に照射させて前記印鑑の印面を前記撮像部に撮影させ、前記発光部の照射方向を変えて前記印鑑の印面を前記撮像部に撮影させ、複数の画像データを得る撮像制御部と、前記撮像制御部による複数回の撮影により得られた複数枚の画像データを合成して印影データを作成する画像データ合成部と、を有する。
【発明の効果】
【００１０】
従来技術の特許文献３にあるように、ＬＥＤを多数配置して撮像対象物上にＬＥＤからの光を同時照射する場合、対象物をＣＣＤで鮮明に撮像するためには、対象物の表面の各部分を均等に光をあてて撮影する必要上、対象物の表面に影ができてはならないため、撮像対象物を照射するＬＥＤの数を十分に多くする必要があり、装置のコストアップにつながる。これに対し、提案する印鑑ダイレクトリーダでは、複数の発光部のうちの一部からの光を、前記発光部の照射方向を変えて対象物に照射し、得られた複数枚の画像データを合成している。例えば、４つのＬＥＤのうちの１つからの光を順に選択的に対象物に照射し、得られた４つの画像を合成している。これにより、ＬＥＤの数が少ない安価な装置であっても対象物（印鑑の印面上の印影）を鮮明に撮像することが可能となる。
【図面の簡単な説明】
【００１１】
【図１】本発明の一実施形態に係る印鑑ダイレクトリーダを示す外観斜視図である。
【図２】本実施形態における印鑑の印面の凹凸の抽出方法を示す図である。
【図３】本実施形態における印影データ作成処理のフローチャートである。
【発明を実施するための形態】
【００１２】
以下図面に基づいて、本発明の実施形態について詳細を説明する。
図１は、本発明の一実施形態に係る印鑑直接読取装置（印鑑ダイレクトリーダ）を示す外観斜視図である。
【００１３】
図１の印鑑ダイレクトリーダにおいて、印鑑１は矢印Ａ方向に挿入されて、支持部（不図示）により両脇から支持されて台部３上に置かれて位置が固定される。
この印鑑ダイレクトリーダは、支持された印鑑１の印面の周囲線より外側に配置され、イメージセンサ５に近い側の、前方斜め４方向から印鑑１の印面に光を照射する４つのＬＥＤ２−１、２−２、２−３、２−４と、印鑑１の印面を撮影すべく、その印鑑１の印面に対向する位置に設けられたイメージセンサ５と、イメージセンサ５と印鑑１の印面との間に設けられたレンズ７と、を有する。このうち、４つのＬＥＤ２−１、２−２、２−３、２−４と、イメージセンサ５と、レンズ７とは筺体８内部に収容されている。
【００１４】
また、図１には示されていないが、この印鑑ダイレクトリーダは、４つのＬＥＤ２−１、２−２、２−３、２−４の１つのみを発光させて、印鑑１の印面をイメージセンサ５によりレンズ７を通して撮影させて画像データを得ることを、毎回発光させるＬＥＤを変えて、上記４つのＬＥＤのすべてについて実行する撮像制御部と、その撮像制御部による４回の撮影により得られた４枚の画像データを合成して印影データを作成する画像データ合成部と、を有する。撮像制御部と画像データ合成部はハードウェアとして実現することもソフトウェアとして実現することも可能である。
【００１５】
図２は、本実施形態における印鑑の印面の凹凸の抽出方法を示す図である。
図２に示すように、印鑑１の印面１１に対し斜め前方に、４つのＬＥＤ２−１、２−２、２−３、２−４が設けられている。印面１１を撮影して画像データとして読み取るにあたっては、４つのＬＥＤ２−１、２−２、２−３、２−４のうちのいずれか１つのみをオン（発光）させて印面１１に光を照射させた状態で、イメージセンサ５によりレンズ７を通して印面１１を撮影する。図２には、ＬＥＤ２−１のみが発光し、残りの３つのＬＥＤはオフの状態（発光しない状態）が示されている。
【００１６】
図２では、発光したＬＥＤ２−１は、紙面右側に示されている。この状態では、印面１１上の文字（図２では“印”の文字）と、文字ではない窪み部分との境界の稜線によって示される、印面１１上に刻印された文字の輪郭のうちの、ＬＥＤ２−１からの光によって影となる部分、すなわち、ＬＥＤ２−１の反対側（紙面左側）にある稜線を含む影が鮮明に現れる。
【００１７】
そして、上述したように、毎回発光させるＬＥＤを変えて、４つのＬＥＤのすべてについて撮影を実行し、４回の撮影により４枚の画像データ得て、その４枚の画像データを合成して印影データを作成する。
【００１８】
図３は、本実施形態における印影データ作成処理のフローチャートである。
このフローチャートの処理は、印鑑ダイレクトリーダの撮像制御部と画像データ合成部とにより実行される。
【００１９】
図３のフローチャートの処理に進む前段として、まず、印影の撮影対象となる印鑑１を、印鑑ダイレクトリーダに挿入して、台部３上に置かれた状態で支持部（不図示）により両脇から支持して印鑑１の位置を固定する。
【００２０】
この状態から印鑑１の印面１１の撮影が開始する。
図３のステップＳ１において、紙面右側に示されているＬＥＤ２−１のみを点灯させて印面１１をイメージセンサ５により撮影する。このとき読み取った第１の画像データには、文字と文字ではない窪み部分との境界を示す稜線のうちのＬＥＤ２−１の反対側（紙面左側）にある稜線を含む影が鮮明に現れる。
【００２１】
続く、ステップＳ２では、紙面下側に示されているＬＥＤ２−２のみを点灯させて印面１１をイメージセンサ５により撮影する。このとき読み取った第２の画像データには、文字と文字ではない窪み部分との境界を示す稜線のうちのＬＥＤ２−２の反対側（紙面上側）にある稜線を含む影が鮮明に現れる。
【００２２】
続く、ステップＳ３では、紙面左側に示されているＬＥＤ２−３のみを点灯させて印面１１をイメージセンサ５により撮影する。このとき読み取った第３の画像データには、文字と文字ではない窪み部分との境界を示す稜線のうちのＬＥＤ２−３の反対側（紙面右側）にある稜線を含む影が鮮明に現れる。
【００２３】
続く、ステップＳ４では、紙面上側に示されているＬＥＤ２−４のみを点灯させて印面１１をイメージセンサ５により撮影する。このとき読み取った第４の画像データには、文字と文字ではない窪み部分との境界を示す稜線のうちのＬＥＤ２−４の反対側（紙面下側）にある稜線を含む影が鮮明に現れる。
【００２４】
そして、ステップＳ５において、ステップＳ１〜Ｓ４での撮影の結果として得られた４枚の画像データ（第１の画像データ〜第４の画像データ）を合成して対象とする印鑑の印影データ１５を得る。
【００２５】
第１の画像データでは印面１１に刻印された文字の左側の稜線を含む影が鮮明に現れていて、第２の画像データでは印面１１に刻印された文字の上側の稜線を含む影が鮮明に現れていて、第３の画像データでは印面１１に刻印された文字の右側の稜線を含む影が鮮明に現れていて、第４の画像データでは印面１１に刻印された文字の下側の稜線を含む影が鮮明に現れているので、この４枚の画像データを重ね合わせることで、それぞれの稜線を含む影が重ね合わされて、合成結果の印影データ（重ね合わせ画像）１５では、その重ね合わせ画像内のそれぞれの影によって囲まれた領域として印影が鮮明に現れる。
【００２６】
従来技術の特許文献３にあるように、ＬＥＤを多数配置して撮像対象物上にＬＥＤからの光を同時照射する場合、対象物をＣＣＤで鮮明に撮像するためには、対象物の表面の各部分を均等に光をあてて撮影する必要上、対象物の表面に影ができてはならないため、撮像対象物を照射するＬＥＤの数を十分に多くする必要があり、装置のコストアップにつながる。本実施形態では、４つのＬＥＤのうちの１つからの光を順に選択的に対象物に照射し、得られた４つの画像を合成する（重ね合わせる）ことで、ＬＥＤの数が少ない安価な装置であっても対象物（印鑑の印面上の印影）を鮮明に撮像することが可能となる。尚、本実施形態では４つのＬＥＤにより実現しているが、ＬＥＤのコストを低くできる一例であり、一方向を照射することができれば、ＬＥＤの数はこれに限らず、ＬＥＤのコストに応じたそれ以外の数量による構成としてもよい。また、発光素子もＬＥＤに限るものではない。
【符号の説明】
【００２７】
１      印鑑
２−１、２−２、２−３、２−４      ＬＥＤ
３      台部
５      イメージセンサ
７      レンズ
８      筺体
１１      印鑑の印面
１５      印影データ
【図１】
2011138371.tif 000003
【図２】
2011138371.tif 000004
【図３】
2011138371.tif 000005